(57)【要約】【課題】厚紙を使用して連続通紙をおこなっても２枚目以降にショックジターによる異常画像が発生しないようにする。【解決手段】複数の感光体１ａ，１ｂ，１ｃ，１ｄと、これらの感光体１ａ，１ｂ，１ｃ，１ｄからトナー像が一次転写されると共に、駆動ローラ２０、従動ローラ２１により張架された中間転写ベルト１０と、中間転写ベルト上の画像を転写材に転写する２次転写ローラ２２とを備え、前記感光体１ａ，１ｂ，１ｃ，１ｄのうち最終段の感光体１ｄと中間転写ベルトが接触する個所から２次転写ローラ２２までのベルト移動方向に沿った長さＬ１を画像形成装置における転写材の進行方向の長さの最大通紙長さＬ２以上とすると共に、連続通紙時における隣り合う転写材の前側の転写材への２次転写を次の転写材のための１次転写の開始前に終了する転写処理を行う。【選択図】図１
2007193000.tif 000002
【特許請求の範囲】
【請求項１】
複数の像担持体と、これらの像担持体からトナー像が１次転写される複数のローラにより張架された中間転写ベルトと、中間転写ベルト上の画像を転写材に転写する２次転写部材とを備え、前記複数の像担持体のうち最終段の像担持体と中間転写ベルトが接触する個所から２次転写部までのベルト移動方向に沿った長さを画像形成装置における転写材の進行方向の長さの最大通紙長さ以上とすると共に、
連続通紙時における隣り合う転写材の前側の転写材への２次転写を次の転写材のための１次転写の開始前に終了する転写処理を行なうことを特徴とする転写装置。
【請求項２】
厚紙モードと普通紙モードとに切替可能とし、厚紙モードのとき前記転写処理を行なうことを特徴とする請求項１の転写装置。
【請求項３】
中間転写ベルトの駆動速度を、第一駆動速度と、前記第一駆動速度より低速の第二駆動速度への切替えが可能とし、前記厚紙モードのとき、１次転写終了から２次転写開始までの間に、前記駆動速度を前記第一の駆動速度から前記第二の駆動速度に切替える制御を行なうこと特徴とする請求項２の転写装置。
【請求項４】
２次転写ローラは、対向する部材に従動する従動回転駆動及び駆動源からの駆動力回転駆動される駆動回転を選択可能として構成され、普通紙モードの際は従動回転、厚紙モードの際は駆動回転とすることを特徴とする請求項１ないし３のいずれかの転写装置。
【請求項５】
２次転写ローラの駆動回転は、ギヤを介して２次転写ローラに対向して配置されるローラを駆動源とすることを特徴とする請求項１ないし４のいずれかの転写装置。
【請求項６】
複数の像担持体を中間転写ベルトの上方に配置し、かつ中間転写ベルトは駆動ローラ及び従動ローラの２つのローラで張架され、かつ２次転ローラに対向するローラを駆動ローラとすることを特徴とする請求項１ないし５のいずれかの転写装置。
【請求項７】
請求項１ないし６のいずれかの転写装置を備えたことを特徴とする画像形成装置。
【発明の詳細な説明】
【技術分野】
【０００１】
本発明は、転写装置及び画像形成装置に係り、特に複数の像担持体と、複数のローラにより張架された中間転写ベルトと、中間転写ベルト上の画像を転写材に転写する２次転写部とを備えた転写装置及び画像形成装置に関する。
【背景技術】
【０００２】
カラー画像形成の代表的方法として、複数の感光体上に形成される色の異なるトナー画像を中間転写体に重ねながら転写させ、しかる後に転写紙に一括して転写させる中間転写方式がある。この方式は、複数の感光体を転写紙または中間転写体に対向させ並べて配置することから、タンデム方式と呼ばれ、感光体毎にイエロー（Ｙ）、マゼンタ（Ｍ）、シアン（Ｃ）、ブラック（Ｋ）の各色に対して静電潜像の形成、現像などの電子写真プロセスを実行させ、中間転写処理課程において走行中の中間転写体上に転写する。
【０００３】
このような構成において、中間転写体から転写紙へ転写が行なわれる２次転写部にレジスト部を経て転写材が挿入されるとき転写ベルトの速度変動が発生し、１次転写部の画像もしくは２次転写部の画像が横スジ状の異常画像（ショックジター）となる不具合が発生しやすい。特に、厚紙などのコシのある転写紙を通紙する際は、レジスト部から搬送されるときの力がそのまま紙を伝わってしまうため、２次転写部へ影響を与え影響が顕著となる。これに対して普通紙などコシのない転写紙を通紙する際は、紙はレジスト部と２次転写の間でたるむため、比較的ショックジターの異常画像は発生し難い。しかし、機械の小サイズ化に伴い、用紙にたるみを発生させていた個所の距離を確保するのが困難となってきている。
【０００４】
従来このような中間転写方式の画像形成装置では、上述した不具合を回避するために、レジスト部と２次転写ローラ間の距離を開けるものとし、レジスト部の紙搬送力が２次転写部に伝わらないようして、転写部におけるレジスト部の影響を低減させようとしている。
【０００５】
また上述した不具合回を回避する他の対策として、厚紙通紙時において２次転写部とレジスト部の紙搬送速度をほぼ等速とする調整処理を行ない、レジスト部の影響が２次転写部に伝達しないようにするようにしている。この方法では、調整などの手間が必要となりコストアップの要因となっている。
【０００６】
上述した不具合を解決するため以下のものが提案されている。特許文献１には、４色分のプロセスカートリッジを積み上げるように上下方向に配置し、中間転写ベルト上におけるトナー像の１次転写完了位置から転写材への２次転写位置までの距離を転写材の搬送方向長さより長く設定し、これにより、中間転写ベルトを１回転空回転することなく、ＯＨＰなどの用紙で低速モードとすることを可能とするものが記載されている。
【０００７】
特許文献２には、中間転写ベルト上のトナー像が転写材へ転写完了する前に感光体ドラムと中間転写ベルトとの接触を解除し、これにより、感光体ドラム上のトナー像が中間転写ベルトに転写完了後、直ちに感光体ドラムの回転を停止させることができ、中間転写ベルト及び感光体ドラムを含む画像形成ユニットの寿命を長くすることができるものが記載されている。
【０００８】
特許文献３には、中間転写体の表面移動方向に沿う２次転写位置までの距離が最も短い１次転写位置から２次転写位置までの距離を、記録媒体の搬送方向長さよりも長く設定するものが記載されている。
【０００９】
特許文献４には、体積抵抗率が１０12Ωｃｍ以上の中間転写ベルトを用い、中間転写ベルトに可視画像を転写する前に、２次転写帯電器によってゼロＶ設定の出力を行ない、中間転写ベルトの除帯電を行なうものが記載されている。
【特許文献１】特開２０００−２３５２８９
【特許文献２】特開２００２−９９１３２
【特許文献３】特開２００２−３７２８９９
【特許文献４】特開２０００−５６５９３
【発明の開示】
【発明が解決しようとする課題】
【００１０】
しかしながら、紙突入時のショックジターを低減するため、最終色から２次転写までの長さを紙の通紙長さ以上とし、紙突入時の影響が１次転写部に及ばないようにするだけでは、連続通紙時の２枚目以降のショックジターを防止できないという問題がある。
【００１１】
また、従来厚紙を通紙するときに厚紙がレジストの速度に影響を与えることで発生する２次転写部でのスリップに関しては配慮されていないのが実情である。
【００１２】
そこで、本発明は、厚紙を使用して連続通紙を行なっても２枚目以降にショックジターによる異常画像が発生しない転写装置及び画像形成装置を提供することを目的とする。
【課題を解決するための手段】
【００１３】
請求項１の発明は、複数の像担持体と、これらの像担持体からトナー像が１次転写されると共に、複数のローラにより張架された中間転写ベルトと、中間転写ベルト上の画像を転写材に転写する２次転写部材とを備え、前記複数の像担持体のうち最終段の像担持体と中間転写ベルトが接触する個所から２次転写部までのベルト移動方向に沿った長さを画像形成装置における転写材の進行方向の長さの最大通紙長さ以上とすると共に、連続通紙時における隣り合う転写材の前側の転写材への２次転写を次の転写材のための１次転写の開始前に終了する転写処理を行なう特徴とする転写装置である。
【００１４】
請求項２の発明は、請求項１の転写装置において、厚紙モードと普通紙モードとに切替可能とし、厚紙モードのとき前記転写処理を行なうことを特徴とする。
【００１５】
請求項３の発明は、請求項２の転写装置において、中間転写ベルトの駆動速度を、第一駆動速度と、前記第一駆動速度より低速の第二駆動速度への切替えが可能とし、前記厚紙モードのとき、１次転写終了から２次転写開始までの間に、前記駆動速度を前記第一の駆動速度から前記第二の駆動速度に切替える制御を行なうこと特徴とする。
【００１６】
請求項４の発明は、請求項１ないし３のいずれかの転写装置において、２次転写ローラは、対向する部材に従動する従動回転駆動及び駆動源からの駆動力回転駆動される駆動回転を選択可能として構成され、普通紙モードの際は従動回転、厚紙モードの際は駆動回転とすることを特徴とする。
【００１７】
請求項５の発明は、請求項１ないし４のいずれかの転写装置において、２次転写ローラの駆動回転は、ギヤを介して２次転写ローラに対向して配置されるローラを駆動源とすることを特徴とする。
【００１８】
請求項６の発明は、請求項１ないし５のいずれかの転写装置において、複数の像担持体を中間転写ベルトの上方に配置し、かつ中間転写ベルトは駆動ローラ及び従動ローラの２つのローラで張架され、かつ２次転ローラに対向するローラを駆動ローラとすることを特徴とする。
【００１９】
請求項７の発明は、請求項１ないし６のいずれかの転写装置を備えたことを特徴とする画像形成装置である。
【発明の効果】
【００２０】
本発明に係る転写装置及び画像形成装置によれば、厚紙を使用して連続通紙を行なっても２枚目以降にショックジターによる異常画像が発生しないという効果がある。
【発明を実施するための最良の形態】
【００２１】
以下本発明を実施するための最良の形態としての実施例を図面に基づいて説明する。
【実施例】
【００２２】
以下本発明に係る画像形成装置の実施例を図面に基づいて説明する。図１は本発明の実施例に係る画像形成装置の構造を示す断面図である。本例では、画像形成装置は、円筒形の感光体１を４つ備え、この感光体ドラム１を矢印方向に周速１５０ｍｍ／ｓｅｃで回転している。感光体ドラム１の表面には帯電手段であるローラ形状の帯電器４が圧接されており、感光体ドラム１の回転により従動回転しており、図示しない高圧電源によりＡＣ及びＤＣバイアスが印加されることで一様に表面電位−５００Ｖに帯電されている。感光体ドラム１は潜像形成手段である露光手段５により画像情報が露光され、静電潜像が形成される。この露光工程はレーザーダイオードを用いたレーザービームスキャナやＬＥＤなどで行なわれる。
【００２３】
感光体クリーニングユニット３はブレード２を備え、感光体ドラム表面の転写残トナーのクリーニングを行なう。本実施例の現像手段は一成分接触現像であり、イエロー現像器６，シアン現像器７，マゼンタ現像器８，ブラック現像器９の４個の現像器から構成され、図示しない高圧電源から供給される所定の現像バイアスによって、前記感光体ドラム１の静電潜像をトナー像として顕像化する。
【００２４】
前記感光体ドラム１は並列に４個配設され、フルカラー画像形成時はイエロー、シアン、マゼンタ、ブラックの順で可視像を形成し、各色の可視像が中間転写ベルト１０に順次重ね転写されることでフルカラー画像が形成される。
【００２５】
中間転写ベルト１０は駆動ローラ２０、従動ローラ２１で張架され、その内部に１次転写バイアスローラ１１，１２，１３，１４、が配置され、図示しない駆動モータによって図中の矢印方向に回転駆動されるようになっている。本例では駆動ローラ２０は、２次転写ローラに対向する２次転写バイアスローラを兼ねるよう構成されている。本例では中間転写ベルトを２つのローラで張架するので、最小限のスペースでのユニットを提供できる。また２次転写対向ローラを駆動ローラとすることで、紙の突入時のベルト速度変動に対してベルトと２次転写対向ローラがスリップし難い構成とすることができる。
【００２６】
なお、１次転写バイアスローラ１４は１次転写バイアスローラ保持部材１５に保持され、接離カム１６により感光体ドラム１方向に押圧されている。通常状態において、接離カム１６は１次転写バイアスローラ１４を感光体ドラム１方向に押圧しており、感光体ドラム１または中間転写ベルト１０の着脱時のみ接離カム１６が回転し、１次転写バイアスローラ１４を離間させるようにしている。駆動ローラ２０は、ポリウレタンゴム（肉厚０．３〜１ｍｍ）のものを実施例では使用している。ただし、薄層コーティング（肉厚０．０５〜０．１）なども温度による径変化が小さくより駆動ローラとして使用するには好ましい。
【００２７】
駆動ローラ２０にはベルトクリーニングユニット２４が配置されており、内蔵されたブレード２３により中間転写ベルト１０上の転写残トナーを掻き取ることでクリーニングを行なう。
【００２８】
なお、中間転写ベルト１０を張架している各ローラは、図示しない中間転写ベルトユニット側板によって中間転写ベルト１０の両側より支持されている。中間転写ベルト１０に用いる材質としては、ＰＶＤＦ（フッ化ビニルデン）、ＥＴＦＥ（エチレン−四フッ化エチレン共重合体）、ＰＩ（ポリイミド）、ＰＣ（ポリカーボネート）、ＴＰＥ（サーモプラスチックエラストマー）等にカーボンブラック等の導電性材料を分散させ樹脂フィルム状のエンドレスベルトとしたものを用いることができる。
【００２９】
本実施例で用いた中間転写ベルト１０は、ＰＣ（ポリカーボネート）にカーボンブラックを添加した単層構造の構成とし、その厚みを１４０μｍに調整したものである。
【００３０】
中間転写ベルト１０の体積抵抗率及び表面抵抗率であるが、体積抵抗率が１０８〜１０１２Ωｃｍ、かつ表面抵抗率が１０９〜１０１２Ω／□の範囲であることが望ましい。
【００３１】
中間転写ベルト１０の抵抗の測定は、デジタル超高抵抗微少電流計（アドバンテスト社製：Ｒ８３４０Ａ）にプローブ（内側電極直径５０ｍｍ，リング電極内径６０ｍｍ：ＪＩＳ−Ｋ６９１１準拠）を接続し、中間転写ベルト１０の表裏に１０００Ｖ（表面抵抗率は５００Ｖ）の電圧を印加してｄｉｓｃｈａｒｇｅ  ５ｓｅｃ、ｃｈａｒｇｅ１０ｓｅｃで測定を行ない、その測定時の環境は２２℃５５％ＲＨに固定するようにした。
【００３２】
中間転写ベルト１０の体積抵抗率及び表面抵抗率が上述した範囲を超えると、転写ベルトが帯電するため、作像順の下流へ行くほど、設定電圧値を高く設定するなどの処置が必要となるため１次転写部へ単独の供給電源を使用することが困難となる。これは転写工程、転写材剥離工程などで発生する放電によって中間転写ベルト１０表面の帯電電位が高くなり、かつ自己放電が困難になるためであり、対策には中間転写ベルト１０の除電手段を設ける必要が生じる。また、体積抵抗率及び表面抵抗率が上記範囲を下回ると、帯電電位の減衰が早くなるため自己放電による除電には有利となるが、転写時の電流が面方向に流れるためトナー飛び散りが発生してしまう。したがって、本発明における中間転写ベルト１０の体積抵抗率及び表面抵抗率は上記範囲内でなければならない。
【００３３】
２次転写ローラ２２はＳＵＳ等の金属製芯金上に、導電性材料によって１０６〜１０１０Ωの抵抗値に調整されたウレタン等の弾性体を被覆することで構成されている。ここで、２次転写ローラ２２の抵抗値が上記範囲を超えると電流が流れ難くなるため、必要な転写性を得るためにはより高電圧を印加しなければならなくなり、電源コストの増大を招く。また、高電圧を印加する必要生じるため転写部ニップ前後の空隙にて放電が起こり、ハーフトーン画像上に放電による白ポチ抜けが発生する。これは低温低湿環境（例えば１０℃１５％ＲＨ）で顕著である。逆に、２次転写ローラ２２の抵抗値が上記範囲を下回ると同一画像上に存在する複数色画像部（例えば３色重ね像）と単色画像部との転写性が両立できなくなる。これは、２次転写ローラ２２の抵抗値が低いため、比較的低電圧で単色画像部を転写するのに十分な電流が流れるが、複数色画像部を転写するには単色画像部に最適な電圧よりも高い電圧値が必要となるため、複数色画像部を転写できる電圧に設定すると単色画像では転写電流過剰となり転写効率の低減を招くからである。
【００３４】
なお、２次転写ローラ２２の抵抗値測定は、導電性の金属製板に２次転写ローラ２２を設置し、芯金両端部に片側４．９Ｎ（両側で合計９．８Ｎ）の荷重を掛けた状態にて、芯金と前記金属製板との間に１０００Ｖの電圧を印加したときに流れる電流値から算出した。なお、２次転写ローラ２２の抵抗測定時も、環境を２２℃５５％ＲＨに固定して行った。本実施例では２次転写ローラ２２の抵抗を前述の方法で測定したときに７．８ＬｏｇΩとなるように調整した。
【００３５】
本例では、１次転写バイアスローラ１１，１２，１３，１４も上述した２次転写バイアスローラと同様の構成とした。中間転写ベルト１０を挟んで感光体ドラム１に当接しているため、１次転写バイアスローラに適度な弾性層がないと１次転写のニップが確保できないためである。ただし抵抗範囲に関しては、中間転写ベルト層の分２次転写バイアスローラほどシビアではないが、本実施例では１次転写バイアスローラの抵抗を前述の方法で測定したときに７．０ＬｏｇΩとなるように調整した。
【００３６】
転写材２９はピックアップローラ２８、給紙搬送ローラ２７，レジストローラ２６によって，中間転写ベルト１０表面のトナー画像先端部が２次転写位置に到達するタイミングに合わせて給紙され、高圧電源１００により所定の転写バイアスが印加されることで中間転写ベルト１０上のトナー画像が転写材２９に転移する。転写材２９は２次転写対向ローラ１９の曲率と、分離手段３０によって印加される所定の分離バイアスによって中間転写ベルト１０から分離され、転写材２９に転写されたトナー画像は定着手段２５によって定着された後排紙される。
【００３７】
また、本実施例ではイエロー、マゼンタ、シアン、ブラックのいずれか１色の画像を形成する単色モード、イエロー、マゼンタ、シアン、ブラックのいずれか２色の画像を重ねて形成する２色モード、イエロー、マゼンタ、シアン、ブラックのいずれか３色の画像を重ねて形成する３色モード、前述のような４色重ね画像を形成するフルカラーモードを有し、これらのモードが操作部にて指定可能である。
【００３８】
更に、本実施例では転写材２９の種類によって定着時のプロセス速度を変更するように構成した。具体的には連量１１０Ｋｇ紙以上の転写材を用いる場合にはプロセス速度を半速となるようにし、定着ローラ対によって構成される定着ニップを転写材が通常プロセス速度の２倍の時間を掛けて通過することで、トナー画像の定着性を確保できるようにした。
【００３９】
以下上述した実施例に係る転写装置の構成を説明する。図２は図１に示した画像形成装置の転写装置を示す模式図である。本例では中間転写ベルト１０の上流側からブラック（Ｋ）用の感光体１ａ（Ｋ）、マゼンタ（Ｍ）用の感光体１ｂ（、シアン（Ｃ）用の感光体１ｃ、イエロー（Ｙ）用の感光体１ｄを有する作像ユニットが配設され、駆動ローラ２０、従動ローラ２１により中間転写ベルトを張架し、また駆動ローラ２０は、２次転写ローラの対向ローラも兼ねる。駆動ローラ２０は、ｔ＝０．０５〜０．１の薄層コーティングゴムローラを使用している。そして、本例では、図２に示すように、最下流の感光体１ｄから２次転写ローラ２２までの距離Ｌ１を使用する転写材２９の長さＬ２よりも長くするようにしている。これにより、１枚目の転写材突入時によるショックジターの影響は回避することができる。
【００４０】
次に本実施例に係る画像形成装置の作動について説明する。本例に係る画像形成装置は、以下のように制御される。まず、最初の１枚の画像形成について説明する。図３は実施例に係る画像形成装置の転写バイアス印加タイミングの一例を示す図である。本例のように、最下流の感光体即ち感光体１ｄから２次転写ローラ２２までの距離が用紙の通紙長さよりも長い画像形成装置の場合は、最下流のイエロー用感光体１ｄでの画像処理の最後の処理が終了した後に、２次転写部に転写材の先端が入ることとなる。このようなタイミングでバイアス印加処理されることにより１次転写部での転写処理中に２次転写部に紙が入っていることにより発生するベルト速度変動は発生しない。
【００４１】
次に２枚連続通紙時のタイミングについて説明する。図４は図１に示した画像形成装置の普通紙モードにおける作動を示すタイミングチャート、図５は図１に示した画像形成装置の厚紙モードにおける作動を示すタイミングチャートであるコシのない普通紙を使用する普通紙モードでは、図４中タイミングａで２枚目の１次転写処理中に１枚目の転写材の２次転写が開始される。普通紙では、転写材にコシがないので、転写ベルトが速度の影響を受けることがない。
【００４２】
一方、コシがある厚紙を使用する厚紙モードでは、図５に示すように、１次転写中に２次転写を行なわないよう各タイミングを調整するようにする。即ち、１枚目の最下流の感光体１ｄでの転写終了タイミングｃと２枚目の最上流の感光体１ａでの転写タイミングｄとの時間を長くして、タイミングｃとタイミングｄとの間に、１枚目の転写材の２次転写を行なうようにしている。このため、１次転写中には転写材の影響によるベルト速度変動による画像の劣化が発生しないものとすることができる。
【００４３】
次に実施例に係る画像形成装置の他の制御例について説明する。図６は図１に示した画像形成装置の他の実施例の作動を示すタイミングチャートである。本例では、駆動ローラへの入力制御信号を変更することにより、駆動ローラの駆動速度を第一速度と、第一速度より遅い第二速度とに変更する。中間転写ベルトに画像を形成する際は第一速度で駆動を行ない、転写材にトナー像を２次転写するときには、前記第二速度で駆動する。これにより、定着に熱エネルギーを必要とするため紙搬送速度が低速に設定される厚紙やＯＨＰの印刷の際にもプリント生産性を向上させることができる。
【００４４】
特に上述した厚紙モードを実行するときには、印刷タイミングを遅くしてショックジター対策を行なうので、プリント生産性の低下を余儀なくされるが、本実施により生産性を向上させることができる。
【００４５】
次に、実施例に係る転写装置の他の例について説明する。図７は、他の実施例に係る転写装置の構成を示す側面図である。本例に係る転写装置は、駆動ローラ２０に接触する２次転写ローラ２２を連動可能とするものである。本例では、駆動ローラ２０と２次転写ローラ２２とをギヤ３１，３２で連結し、２次転写ローラを駆動ローラ２０と共に回転駆動を可能とした。また本例では、２次転写ローラ２２のギヤ３１はソレノイド等の駆動源でスラスト方向に移動可能とし、２次転写ローラ２２をギヤ駆動回転もしくは従動回転として選択することができる。本実施例は、普通紙の際には従動回転、厚紙モードの際にはギヤ駆動回転とすることが好適であり、これにより、厚紙のコシで発生していた２次転写部のスリップを防止することができ、異常画像を回避することが可能となる。
【図面の簡単な説明】
【００４６】
【図１】本発明の実施例に係る画像形成装置の構造を示す断面図である。
【図２】図１に示した画像形成装置の転写装置を示す正面図である。
【図３】図１に示した画像形成装置の作動を示すタイミングチャートである。
【図４】図１に示した画像形成装置の普通紙モードにおける作動を示すタイミングチャートである。
【図５】図１に示した画像形成装置の厚紙モードにおける作動を示すタイミングチャートである。
【図６】図１に示した画像形成装置の他の実施例の作動を示すタイミングチャートである。
【図７】他の実施例に係る転写装置の構成を示す側面図である。
【符号の説明】
【００４７】
１・・・感光体
１ａ・・・感光体
１ｂ・・・感光体
１ｃ・・・感光体
１ｄ・・・感光体
２・・・ブレード
３・・・感光体クリーニングユニット
４・・・帯電器
５・・・露光手段
６・・・イエロー現像器
７・・・シアン現像器
８・・・マゼンタ現像器
９・・・ブラック現像器
１０・・・中間転写ベルト
１１，１２，１３，１４・・・一次転写バイアスローラ
１５・・・一次転写バイアスローラ保持部材
１６・・・接離カム
１９・・・二次転写対向ローラ
２０・・・駆動ローラ
２１・・・従動ローラ
２２・・・２次転写ローラ
２３・・・ブレード
２４・・・ベルトクリーニングユニット
２５・・・定着手段
２６・・・レジストローラ
２７・・・給紙搬送ローラ
２８・・・ピックアップローラ
２９・・・転写材
３０・・・分離手段
３１，３２・・・ギヤ
【図１】
2007193000.tif 000003
【図２】
2007193000.tif 000004
【図３】
2007193000.tif 000005
【図４】
2007193000.tif 000006
【図５】
2007193000.tif 000007
【図６】
2007193000.tif 000008
【図７】
2007193000.tif 000009